(57)【特許請求の範囲】
【請求項１】
締め付け装置の開口部に押し込むことのできる管部分（３）を取り外し可能に軸方向に固定するための、ハイキングポール、トレッキングポール、ノルディックウォーキングポール、又は（クロスカントリー）スキーポールのための締め付け装置（１）であって、前記締め付け装置は、プラスチック材料スリーブ（５）を備え、このスリーブ（５）は、少なくとも軸部分に沿って管部分（３）の周囲に本質的に直接係合して、閉じた状態で同部分を締め付け、プラスチック材料スリーブ（５）は、少なくとも管部分（２）の周囲に係合する領域（５ｂ）に、この領域においてプラスチック材料スリーブの周囲を可変にする、少なくとも一つの軸方向の溝（６，１５）を備え、また、残りの軸方向の領域（５ａ）において、本質的に環状構造であり、各突出部（１３，１４）は、この溝（６）のいずれか一方のプラスチック材料スリーブ（５）上に配置され、これらの突出部（１３，１４）は、同軸の貫通通路開口部（２３）を備え、この開口部は管部分（３）の軸（２４）に対して本質的に垂直に配置され、この開口部を通じて横断ピン（１１）を係合し、この横断ピンは、第二の突出部（１４）の外側に係止部（１２）を備え、第一の突出部（１３）の外側に締め付けレバー（４）のための回転ピン（７）を備え、このピンは横断ピン（１１）の軸に対して垂直かつ管部分（３）の軸（２４）に平行に配置され、締め付けレバー（４）は、レバーアーム（９）を備え、このレバーアーム（９）は、締め付け装置（１）が閉じた状態で、プラスチック材料スリーブ（５）の周囲に少なくとも部分的に係合し、締め付けレバー（４）は、回転ピン（７）の周囲に偏心回転領域（８）を備え、係止部（１２）と、第一の突出部（１３）の外側に配置される反対表面（１９）との間の距離を、締め付けレバー（４）を閉じた位置に旋回させることで、締め付け目的のためにこの回転領域を用いて、低減させることができ、
反対表面（１９）は、窪み（１８）において、第一の突出部（１３）の少なくとも一部に配置される、金属バンド（１６）として形成された金属要素の形態で構成され、
金属バンド（１６）は、突出部（１３，１４）の反対側で、プラスチック材料スリーブ（５）の外側を取り囲み、そのバンドの第一の端部が、第一の突出部（１３）の外側に配置され、この外側は窪み（１８）において回転領域（８）に向けられ、横断ピン（１１）のための第一の開口部又は貫通開口部を有し、そのバンドの中央領域が、好ましくは環状窪み（２２）において、プラスチック材料スリーブ（５）の周囲に延び、そのバンドの第二の端部が、第二の突出部（１４）の外側に配置され、この外側は好ましくは窪み（１７）において、係止部（１２）に向けられ、横断ピン（１１）及び／又は係止要素（１２）のための第二の開口部又は貫通開口部を有することを特徴とする締め付け装置。
【請求項２】
反対表面（１９）が平面として構成されたことを特徴とする請求項１記載の締め付け装置（１）。
【請求項３】
反対表面（１９）が凹面として構成され、その凹面の曲率半径が、回転領域（８）の曲率半径と本質的に適合することを特徴とする請求項１記載の締め付け装置（１）。
【請求項４】
金属要素が、１個の部品の金属バンド（１６）の形態で構成されることを特徴とする請求項１〜３のいずれかに記載の締め付け装置（１）。
【請求項５】
金属バンド（１６）は、幅が１〜２０ｍｍであり、また厚みが０．１〜２ｍｍの範囲であることを特徴とする請求項１〜４のいずれかに記載の締め付け装置（１）。
【請求項６】
横断ピン（１１）はその締め付けレバー端部においてＴ字形に構成され、横方向アームが締め付けレバーのための回転ピン（７）を形成し、締め付けレバー（４）は横断ピン（１１）のために溝（１０）を有し、この溝（１０）は回転領域（８）を２つの回転領域に分割して横断ピン（１１）の側面に配置させることを特徴とする請求項１〜５のいずれかに記載の締め付け装置（１）。
【請求項７】
プラスチック材料スリーブ（５）が、その上部（５ｂ）において、少なくとも２つの、軸方向に延びる溝（６，１５）を有し、少なくともこれらの溝（１５）のうちの一つが２つの突出部（１３，１４）の間に配置されることを特徴とする請求項１〜６のいずれかに記載の締め付け装置（１）。
【請求項８】
係止部（１２）が調節可能な構造であり、好ましくは係止部（１２）がネジ山を備えた構造でかつ横断ピン（１１）がかみ合うネジ山を備えた構造であり、係止部がナット又はネジとして構成され、好ましくは環状の歯付き形状（２１）、及び／又は、突起部、及び／又は、調整工具の係合のための溝を備えた構造であることを特徴とする請求項１〜７のいずれかに記載の締め付け装置（１）。
【請求項９】
残りの軸方向の領域（５ａ）において、外管（２）の部分を受け入れて締め付ける目的のために、外管（２）が、管部分（３）の外径と本質的に同じか、又は単に僅かに大きい内径を有するように締め付け装置が形成されたことを特徴とする請求項１〜８のいずれかに記載の締め付け装置（１）。
【請求項１０】
２つの突出部における貫通通路開口部（２３）は、全体にわたって丸く閉じた穴であり、２〜７ｍｍの範囲の直径を備えることを特徴とする請求項１〜９のいずれかに記載の締め付け装置（１）。
【請求項１１】
レバーアーム（９）が、締め付け装置が閉じられた状態で、プラスチック材料スリーブ（５）の窪み（２５）の少なくとも一部に配置され、及び／又は、レバーが、全体的に又は部分的に、表面が硬化された金属から、特に回転領域では硬化された金属から製造され、これに結合するプラスチック材料領域、好ましくは握りやすい材料からなるものが、好ましくは設けられたことを特徴とする請求項１〜１０のいずれかに記載の締め付け装置（１）。
【請求項１２】
ポール、特にハイキングポール、トレッキングポール、ノルディックウォーキングポール、又は（クロスカントリー）スキーポールであって、少なくとも２つの管部分（２，３）又は３つの管部分の長さを調節するための、請求項１〜１１のいずれかに記載の締め付け装置、を有するポール。
【請求項１３】
前記金属バンド（１６）が、硬化鋼、ステンレス鋼、又はばね鋼からなることを特徴とする請求項１〜１２のいずれかに記載の締め付け装置（１）。
【請求項１４】
プラスチック材料スリーブ（５）が、その上部（５ｂ）において、少なくとも３つの、軸方向に延びる溝（６，１５）を有することを特徴とする請求項７記載の締め付け装置（１）。
【請求項１５】
前記溝が、外周の周囲に均一に分布することを特徴とする請求項７記載の締め付け装置（１）。
【請求項１６】
前記横断ピン（１１）の直径が、これらの貫通通路開口部（２３）を通り抜ける領域において、２〜６ｍｍの範囲であることを特徴とする請求項１０記載の締め付け装置（１）。
【発明の詳細な説明】
【技術分野】
【０００１】
本発明は、特にハイキングポール、トレッキングポール、ノルディックウォーキングポール、又は（クロスカントリー）スキーポールとして使用される長さ調節ポールに関し、また、そのようなポールの管部分の関係位置を固定する締め付け装置に関する。
【背景技術】
【０００２】
ハイキングポール、トレッキングポール、ノルディックウォーキングポール、又は（クロスカントリー）スキーポールを様々な長さにするため、それぞれの場合の要求を満たすために、ポールを形成する２つの管部分を、それらの軸の位置に関して異ならせて配置する、メカニズムが開発されてきた。この目的のため、通常は直径が異なる２つの管部分が使用され、調節の目的に応じて、一方の管を他方に押し込むことができるようになっている。
【０００３】
一方で、この目的のために、締め付け機構が言うなればポール形成管の内部に配置される装置がある。例えば、ＥＰ１４５０９０６号は、内管に固定されて外管に突き出るネジ棒が備えられ、内部ネジ（雌ネジ）で円錐形状の内部要素が取り付けられた装置を開示している。この内部要素の周りには、嵌め合い錐体（a  mating  cone）を備えた拡散要素が配置され、２つの管部分が回転することにより内部要素が拡散要素内に追い込まれるとき、嵌め合い錐体は、２つの管部分を固定する様式で拡散する。
【０００４】
他方、クリップ留めの方法で外側に配置される装置がある。例えば、ＤＥ６９４９１７６５号は、プラスチック材料スリーブと締め付けレバーが溝のある管の周囲に配置され、締め付けレバーが、スリーブ上に配置された突起を貫通するピンを備え、折り重ねることができ、このようにして締め付け装置が固定され得る装置を開示している。この構成の場合、スリーブにより内管が直接締め付けられるというよりもむしろ、外管が溝を備え、スリーブが外管上に配置されて、締め付け装置が、言い換えれば、内管上に外管を押し付ける。さらに本質的に同一構造の締め付け機構がＥＰ０９８８９８号により知られている。さらに外側に配置された装置がＥＰ１２１７２２４号により知られている。この文書では、同様に締め付けレバーが示され、この場合、締め付けレバーをポール軸に垂直の軸について傾けることで折り重ねることができるが、これは言わばフォーク状の構造になっている。
【０００５】
【特許文献１】ＥＰ１４５０９０６号
【特許文献２】ＤＥ６９４９１７６５号
【特許文献３】ＥＰ０９８８９８号
【特許文献４】ＥＰ１２１７２２４号
【発明の概要】
【発明が解決しようとする課題】
【０００６】
したがって、本発明の目的は、特に上述した目的のための改良された締め付け装置を提案することである。ここでそのねらいは特に、簡単な構成で、弱い力を加えることでレバーを折り畳め、それにもかかわらず強い締め付け力があり、広範囲の様々な異なる温度や、氷、雪、ほこりの影響下においてさえ、適切に機能する締め付け装置を提案することである。
【０００７】
この目的は、本発明が提案する、ハイキングポール、トレッキングポール、ノルディックウォーキングポール、又は（クロスカントリー）スキーポールのための締め付け装置によって達成される。締め付け装置は、その開口部に押し込むことができる管部分を取り外し可能に軸方向に固定し、本質的に以下の特徴を備えている。
【課題を解決するための手段】
【０００８】
・締め付け装置はプラスチック材料スリーブを備え、これは少なくとも軸部分に沿って、少なくとも本質的に直接に管部分の周囲に係合し、閉じた状態において、管部分をクランプにより固定する。
・プラスチック材料スリーブは、少なくとも管部分の周囲に係合する領域において、少なくとも１つの軸方向の溝を備え、その溝は、この領域においてプラスチック材料スリーブの周囲を変化させる。また、プラスチック材料スリーブは、残りの軸方向の領域において本質的に環状構造である。
・各突出部は、この溝のいずれか一方のプラスチック材料スリーブ上に配置され（突出部は管部分の軸に対して本質的に垂直に延びている）、これらの突出部は、同軸の貫通通路開口部を備え、開口部は管部分の軸に対して本質的に垂直に配置され、これを通じて横断ピンに係合する（２つの突出部の間の溝は、真っ直ぐな線状で半径方向の溝として構成して良く、また例えば湾曲したもの、又は角のある構造、又は汚れの影響を受けにくくする結果をもたらす、多数の曲がり角を持つものとしてもよい）。
・横断ピンは、第二の突出部の外側上に係止部を備え、第一の突出部の外側上に締め付けレバーのための回転ピンを備えている。この回転ピンは、横断ピンの軸に対して垂直に配置され、管部分の軸に対して平行に配置される。
・締め付けレバーはレバーアームを備え、レバーアームは、好ましくは、締め付け装置が閉じた状態で、少なくとも部分的にプラスチック材料スリーブの周囲に係合する。
・締め付けレバーは、回転ピンの周囲に偏心回転領域（又は滑り領域）を有し、この回転領域を用いて、締め付け目的のため、係止部と、第一の突出部の外側に配置された反対表面との間の距離を、締め付けレバーを閉じた位置に旋回させることによって、低減させることを可能にする。
・反対表面は、反対圧力要素、好ましくは金属要素の形態で構成され、窪みにおける、第一の突出部の少なくとも一部に配置される。
【０００９】
ここで、偏心は、回転領域の半径が、回転領域と連動してレバーの回転ピンの周囲に一定であるというよりもむしろ、重要な部分に沿って次第に増加することを意味すると理解されるべきである。言い換えれば、レバーの調整領域という脈絡の中で、回転領域は反対表面に基礎を置く。これは、締め付け装置が閉じた状態、言い換えれば締め付けレバーが締め付け装置に対して完全に配置された状態で、この半径は最大となり、したがって、反対表面と係止部の間の距離が最小の値になると考えられる。また、締め付け装置が開いた状態、言い換えれば締め付けレバーが突出した状態で、その半径はより小さな値となり、それ故に反対表面と係止部の間の距離がより大きい値になると考えられ、またそれ故にスリーブにおける溝が設けられた領域は、より大きい内部直径を有している。レバーの回転表面と回転ピンは、このように偏心して配置される。
【００１０】
このように、本発明の核心はとりわけ、この回転領域のための軸受表面又は反対表面として、好ましくは金属要素の形態で、反対圧力要素を提供することにある。これは、回転領域のためのより良い滑り特性を達成する（回転領域は、概して締め付けレバーと同様に、金属又はその他プラスチック材料からなるものとしてよい）。反対表面及び回転領域は、両方とも摩耗がより低レベルである。突出部を、追加的に少なくとも部分的に窪ませることは、反対表面を形成する金属要素が汚れたり、有害な汚れのかけらが、重要な領域を貫通し得るになり得る状況を概ね防ぐ。さらに、窪みの配置は、レバーが折り畳まれるときに、より良い誘導を確保し、また美観的により満足のいく構造を達成する。
【００１１】
反対表面は、原則曲面として、例えば締め付けレバーの回転領域の偏心領域における曲率の最大半径に本質的に対応する曲率半径を備えた曲面として構成してよい。概括すれば、第一実施形態によれば、反対表面は、曲率半径が回転領域の曲率半径に本質的に適合する凹面として構成してよい。
【００１２】
反対表面は、好ましくは軸受領域において平面である表面として構成され、反対表面が金属要素であるため、これにより結果として極めて低い摩擦力となる。しかし、それにもかかわらず、プラスチック材料の領域の周囲に圧力を非常に効率的に伝達することが可能である。先行技術に従った純粋にプラスチック材料の構成で反対表面を平面にすることは大きく局在する力を生じるため、通常都合良くなし得ないが、金属の構成の場合においては、これは大変効率的な方法で可能である。
【００１３】
プラスチック材料スリーブは、ポリエチレン，ポリアミド（特にPA66），ポリカーボネート，ポリプロピレン，アクリロニトリル  ブタジエン  スチレン  コポリマー（ABS）などのプラスチック材料、又はこれらの材料の混合物（ブレンド）若しくは組み合わせ（二成分）から形成することができ、場合により、カーボンファイバー又はグラスファイバーからなる補強剤を含めて形成することができる。プラスチック材料スリーブは、これらの材料から１個の部品に形成されることが好ましい。また、内側には、軸方向に固定する力を増加させるために、特に締め付け領域において、高い摩擦を示す材料（ゴムなど）からなる特別なコーティング、又はストリップ（strip）、又は円筒状の挿入物を設けてもよい。また、レバーをこのようなプラスチック材料から形成し、かつ１個の部品にすることもできる。レバーは、また金属から製造してもよいが、金属レバー上にプラスチック材料からなる作動領域を形成し、あるいはこれを接着接合することもできる。横断ピンは、典型的には金属から製造されるが、高度に安定したプラスチック材料（例えば、グラスファイバー強化材料、又はカーボンファイバー強化材料）から製造してもよい。
【００１４】
締め付け装置の好ましい実施形態によれば、金属要素は、突出部の反対側でプラスチック材料スリーブの外側を取り囲む、好ましくは１個の部品の金属バンドからなるように構成される。また、金属バンドの第一の端部は、第一の突出部の外側に配置される。この外側は、窪みにおける回転領域方向を向き、横断ピンのための第一の開口部又は貫通開口部を備えている。バンドの中央領域は、プラスチック材料スリーブの周囲、好ましくは環状の窪み内に延びる。バンドの第二の端部は、第二の突出部の外側に配置され、この外側は好ましくは窪みにおいて係止部方向を向く。また、バンドの第二の端部は、横断ピン及び／又は係止要素のための第二の開口部又は貫通開口部を備えている。
【００１５】
このような締め付け装置のスリーブのためのプラスチック材料の慣習的な使用上の一つの問題は、プラスチック材料は異なる温度で寸法がかなり大きく相違するという事実である。これは締め付け力に直接影響するため、例えば低い温度で固く締められた装置は、太陽放射にさらされると解除される可能性があり、これは危険を構成するかもしれない。プラスチック材料は、わずかな膨張率も有しておらず、従って締め付け力を損なう弾性を有しているというさらなる問題がある。さらに、頻繁に使用すると、プラスチック材料は次第に伸び、そのために可能な締め付け力が低減するか、又は定期的な付け直しが必要になる。これらの全ての問題は、もし、スリーブにおける重要な円周領域が、この領域は締め付け力の付与のために本質的に重要であるが、金属バンドで取り囲まれ、またこれによりこの領域においてプラスチック材料の負の特性がいわば中和されれば、克服することができる。この結果、普通に使われているプラスチック材料の構成を用いる全ての可能な使用に比べ、大幅により安定した、より持続的な締め付け力を得ることができる。しかしながら、それにもかかわらず、金属材料から締め付け装置全体を製造することを、防止することができる。
【００１６】
ここで、金属バンドは例えば幅が１〜２０ｍｍ、好ましくは２〜１０ｍｍ、特に好ましくは３〜７ｍｍ、厚みは好ましくは０．１〜２ｍｍの範囲、特に好ましくは０．２５〜１．５ｍｍの範囲であり、金属バンドは、特に好ましくは硬化鋼、ステンレス鋼、又はばね鋼からなる。また、プラスチック材料のバンドは、高い引っ張り抵抗、場合により繊維強化材を備えたものとすることが考えられる。
【００１７】
金属要素は、全部又は一部を原則として鋼から、又は表面硬化鋼から製造してもよい。硬化アルミニウムもまた用いられる。
【００１８】
レバーは、原則として金属又はプラスチック材料から構成してよい。それが金属からなる場合、全部又は一部を鋼から、又は表面硬化鋼（特に回転領域を硬化）から製造してもよい。硬化アルミニウムもまた用いることができる。もしレバーが金属からなる場合、特別な人間工学的形状にするためにプラスチック材料領域を結合してもよい。この場合、このような要素を、握りやすい材料から形成することも可能である。このようなプラスチック材料の領域は、射出成形の間、又は組み立ての間のいずれにおいても金属レバーに適合し得る。
【００１９】
さらなる好ましい実施形態によれば、金属要素は反対表面のいずれか一方にそれぞれ貫通開口部を備えてよい。そして、反対表面はそれらの間に位置する横木によって形成される。ここで、横断ピンは、その締め付けレバー端部において、フォーク状に構成されている。二つのフォークアームは貫通開口部を通じて係合する。回転ピンはフォークアームの各端部に配置されて接続される。締め付けレバーにおける回転領域は、締め付けレバーが旋回するときに、横木上を進むように、フォークアームの間に配置される。
【００２０】
少なくとも、お互いに（摩擦）接触する領域（特に金属板と横木とレバーの回転領域）は、硬化された材料から製造され、又はそこを特別に硬化させることが好ましい。
【００２１】
この実施形態において、フォークアームのためのこれらの貫通開口部は、典型的に、例えば互いに反対側に位置する、半月状の穴として構成される。通常平面的な横木に対して非常に局所的に付与されるが、金属要素からなる溝のある円周表面に沿って良好な効果を与えるように分配されることができる力は、低い摩擦と共に非常に高い締め付け力を発生させることができる。このような実施形態は、金属要素が円盤状に構成され、横断ピンの軸に沿って第一の突出部の窪みに配置され、また窪みの深さが金属要素の厚みよりも大きいことにおいて、典型的な特徴がある。金属要素の厚みは、好ましくは０．５〜３ｍｍの範囲であり、１〜２ｍｍの範囲とすることも好ましい。また、窪みの深さは３〜１０ｍｍの範囲であり、５〜８ｍｍの範囲とすることが好ましい。
【００２２】
さらに好ましい実施形態は、横断ピンがその締め付けレバー端部においてＴ字形に構成されることを特徴とする。このＴ字形の側部のアームは、締め付けレバーの回転ピンを形成する。また、締め付けレバーは、横断ピンのために溝を備えており、この溝は、旋回する方向に細長く、回転領域を横断ピンの両側に配置される２つの回転領域に分割する。
【００２３】
軽量化の目的のために、回転ピンやまた同様に横断ピンに、穴を開けたり、あるいは空洞構造にすることが、一般的に可能である。
【００２４】
もし１つの溝が２つの突出部の間にのみ設けられる場合、スリーブの残りを環状構造にすることが好ましい。しかしながら、特に比較的大きい調節領域を許容するためには、ある特定の場合に、すなわちもしプラスチック材料スリーブがその上部、言い換えれば実際の締め付け領域において、少なくとも２つ、好ましくは少なくとも３つの軸方向に延びる溝を備える場合に、それは有利になり得る。これらの溝の１つは、２つの突出部の間に配置され、またこれらの溝は好ましくは周囲に均一に配置される。
【００２５】
係止部は、調節可能な構造であることが好ましい。すなわち、反対表面と係止部の間の最小距離を、必要に応じて様々な大きさに設定できることが好ましい。これは、特に異なる温度や、異なる締め付け力、又は特に摩耗がある場合において、再設定が可能になるため、非常に有利である。さらに、例えば許容誤差や異なる塗装などの結果、管の直径が異なることを埋め合わせることが可能になる。ここで、例えば係止部又は係止要素にネジ山を備え、また横断ピンに、係止部又は係止要素のネジ山に係合する、対応してかみ合うネジ山を、備えることができる。したがって、係止部は、例えばナット、又は（調整）ネジ、好ましくは手で調節するための環状歯付き形状（例えば、きざみ付きナット、きざみ付きネジ）、及び／又は、突起部、及び／又は、調整工具のかみ合わせのための溝として構成してよい。ここで、レバーの移動や使用の間における、横断ピンからの係止部の予期せぬ解放に対する安全装置（フォームフィッティング、圧力ばめ、材料接着）を設けることもできる。しかし、それにもかかわらず、この安全装置は、ナット又は（調整）ネジによって再調整を実施することを許容する。
【００２６】
さらに好ましい実施形態は、締め付け装置は、残りの軸方向の領域、すなわち締め付けが行われない領域において、外管の一部を受け入れて締め付ける目的で形成されることを特徴とする。その外管は、管部分の外径に本質的に等しいか、又は単にわずかに大きい内径を有している。
【００２７】
２つの突出部における貫通通路開口部を、全体にわたって丸く閉じた、好ましくは２〜７ｍｍの範囲の直径を持つ穴とすることは、一般的に可能である。好ましくは横断ピンの直径は、これらの貫通通路開口部を貫通する領域において、２〜６ｍｍの範囲である。
【００２８】
特に、物体や体の一部に接触することなどによる意図しない解放を防止するため、締め付け装置を閉じた状態で、レバーアームを、プラスチック材料スリーブの窪み又は溝において、少なくとも一部又は好ましくは本質的にその全体に配置させることができる。
【００２９】
内管は、もし締め付け装置が管部分の内部に配置されていなければ、好ましくはその端部に案内要素（例えば、一般的に差し込まれて、圧力ばめ及び／又は材料接着により締められる凸状末端のストッパー）を備える。
【００３０】
さらに好ましい実施形態は、グリップ用の窪みが、残りの軸方向の領域の片側に配置されていることを特徴とする。
【００３１】
管部分の周囲に係合するプラスチック材料スリーブの領域を変化させる溝は、好ましくは、環状の残りの軸方向の領域に隣接する区間において、溝の拡張をさらに備え、好ましくは軸方向の溝に対して垂直に延びる溝の拡張を備える。この溝の拡張は、好ましくは軸方向の溝と共に、本質的にＴ字形に構成され、スリーブの周囲に１０〜９０°の範囲で広がり、好ましくは２０〜５０°の範囲で広がっている。
【００３２】
係止部は、好ましくは第二の突出部の肩の上に置かれる幅広部分とテーパー部分を備えたナットの形状に構成してよい。テーパー部分は、好ましくは内部ネジ山（雌ネジ）を備える。ここで、このナットは、例えば全体として金属、又はセラミック材料、又はプラスチック材料から製造することができる。ここでまた好ましくは、このナットの貫通通路開口部に存在する環状凹部の中に、Ｏリングを配置することもできる。Ｏリングは、ナットに係合する（横断ピンの）外部ネジ山（雄ネジ）に沿って、ナットの回転を抑止する摩擦レベルを確保するのに十分な厚みを備える。しかしながら、ナットはまた、射出成形の間に、それに押し込まれる金属からなるネジ山付き挿入物を備えた、又はそれに埋め込まれる金属からなるこのようなネジ山付き挿入物を備えた、プラスチック材料から製造してもよい。ここで、貫通通路開口部の周辺領域がネジ山の付いた挿入物により形成されていない、ナットの貫通通路開口部の軸方向の領域において、外部ネジ山に対するこのプラスチック材料部分の摩擦によりナットの回転が阻止される範囲で、プラスチック材料が貫通通路開口部に突き出ることを、許容することができる。
【００３３】
レバーアームは、好ましくは少なくとも部分的にプラスチック材料スリーブの周りに係合する。ここでプラスチック材料スリーブは少なくとも部分的に又は完全に環状の窪みを含むことができる。レバーアームは、スリーブが閉じられたとき、少なくとも部分的に最終的にその窪みに配置される。
【００３４】
さらに好ましい実施形態は、横断ピンが、好ましくは金属からなり、外部ネジ山を備えた第一の部分を備えることを特徴とする。この第一の部分は、上述したように、例えばナットの内部ネジ山に係合するために提供される。横断ピンは、この第一の部分に隣接し、かつこれとともに好ましくは１個の部品からなる扁平部分、すなわち横断面領域が円形でなく、また外部ネジ山を有していない部分を備えている。この第二の部分は、レバーの軸方向のピンのために、横断ピンの軸に対して横断する方向に、好ましくは貫通通路開口部を含んでいる。軽量化のため、この第二の部分に、例えば軸方向のピンのための前述の貫通通路開口部が延びる方向と平行に、一つ又はそれ以上の穴を設けることができる。ここで、第二の部分の長さは、この第二の部分が、レバーが開いた状態及び閉じた状態の両方において、金属要素からなる対応する貫通通路開口部に係合するように、選択される。
【００３５】
金属要素は、既に説明したように、金属板の形状で、例えば好ましくは１〜３ｍｍの範囲の厚みで、及び／又はステンレス鋼からなり、第一の突出部における対応する窪みにおいて、それが回転することを防止するために、拡張を備えることができる。また、金属要素は、横断ピンのための細長い貫通通路開口部を備えることもできる。ここで、断面の開口部は、例えばまた好ましくは、上述したように、横断ピンの第二の部分における断面の領域に適合するとともに、少しだけ大きい。
【００３６】
また、本発明はポールに関し、特に上述してきた締め付け装置、特に好ましくは、少なくとも２つの管部分又は３つの管部分の長さを調整するための締め付け装置を備えたハイキングポール、トレッキングポール、ノルディックウォーキングポール、又は（クロスカントリー）スキーポールに関する。
【００３７】
ここで、上記の締め付け装置に加えて、締め付け装置のために、少なくとも一つの拡張要素を管部分の内側に設けることもできる。この締め付け装置は、ＥＰ１４５０９０６号に記載されているように、内部締め付け装置としてよい。
【００３８】
さらなる例示の実施形態が、従属項に記載されている。
【図面の簡単な説明】
【００３９】
図１は、締め付け機構の第一実施形態を示す。ａ）〜ｄ）は、ｅ）における適切な矢印方向の側面図を示す。ｅ）は、平面図を示す。ｆ）は、底面図を示す。ｇ）は、ａ）における平面Ａ−Ａに沿った断面図を示す。ｈ）は、斜め上方から見た斜視図を示す。ｉ）〜ｎ）は、開いた形態の同締め付け機構を示す。ｉ）は、向きａ）における図を示す。ｋ）は、向きｄ）における図を示す。ｌ）は、斜め上方から見た斜視図を示す。ｍ）は、平面図を示す。ｎ）は、図ｉ）による平面Ｂ−Ｂに沿った断面図を示す。
図２は、今度は３つの軸方向の溝を備えた締め付け機構の第二実施形態を示す。ａ）は、ａ）方向における側面図を、ｂ）は、ｂ）方向における側面図を示しており、これらは閉じた状態である。ｃ）は、開いた状態の斜視図を示す。ｄ）は、閉じた状態の平面図を示す。ｅ）は、閉じた状態の底面図を示す。ｆ）は、図ａ）による平面Ａ−Ａに沿った断面図を示す。
図３は、閉じた状態（ａ）と開いた状態（ｂ）の２つの断面図における第三実施形態を示す。それぞれ図１ａ）及び図２ａ）による平面Ａ−Ａに沿ったもの、及び図１ｉ）による平面Ｂ−Ｂに沿ったものである。
図４は、閉じた状態（ａ）と開いた状態（ｂ）の２つの断面図における第四実施形態を示す。それぞれ図１ａ）及び図２ａ）による平面Ａ−Ａに沿ったもの、及び図１ｉ）による平面Ｂ−Ｂに沿ったものである。
図５は、締め付け機構の第五実施形態を示す。ａ）〜ｄ）は、ｅ）における適切な矢印方向の側面図を示す。ｅ）は、平面図を示す。ｆ）は、底面図を示す。ｇ）は、ａ）における平面Ａ−Ａに沿った断面図を示す。ｈ）は、斜め上方から見た斜視図を示す。ｉ）〜ｎ）は、開いた形態の同締め付け機構を示す。ｉ）は、向きａ）における図を示す。ｋ）は、向きｄ）における図を示す。ｌ）は、斜め上方から見た斜視図を示す。ｍ）は、平面図を示す。ｎ）は、ｉ）による平面Ｂ−Ｂに沿った断面図を示す。ｏ）は、レバーの軸を通じ、ｇ）の紙面に対して垂直な断面図を示す。ｐ）は、金属要素の平面図を示す。
図６は、締め付け機構の第六実施形態を示す。ａ）〜ｄ）は、ｅ）における適切な矢印方向の側面図を示す。ｅ）は、平面図を示す。ｆ）は、底面図を示す。ｇ）は、ｄ）における平面Ｄ−Ｄに沿った断面図を示す。ｈ）は、斜め下方から見た斜視図を示す。ｉ）〜ｎ）は、開いた形態の同締め付け機構を示す。ｉ）は、向きａ）における図を示す。ｋ）は、向きｄ）における図を示す。ｌ）は、斜め下方から見た斜視図を示す。ｍ）は、底面図を示す。ｎ）は、ｋ）による平面Ａ−Ａに沿った断面図を示す。ｏ）は、レバーの軸を通じ、ｇ）の紙面に対して垂直な断面図を示す。ｐ）は、ｍ）において平面Ｃ−Ｃに沿った断面図を示す。ｑ）は、開いた位置におけるレバー、ピン、調整ネジ、及び金属要素だけの側面図を示す。ｒ）は、同斜視図を示す。ｓ）は、閉じたレバーに対応する斜視図を示す。ｖ）は、金属要素の平面図、側面図及び斜視図を示す。ｔ）は、横断ピンの斜視図を示す。ｕ）は、横断ピンの少し変更した実施形態の斜視図を示す。
図７は、調整ネジの第一の構成を示す図である。
図８は、調整ネジの第二の構成を示す図である。
図９は、調整ネジの第三の構成を示す図である。
【発明を実施するための形態】
【００４０】
本発明の好ましい実施形態が、以下に図面を参照して説明される。これらは単に説明目的のものであり、制限されるものとして解釈されるべきではない。
【００４１】
締め付け装置１の第一実施形態における異なる複数の図が、図１に示されている。図１のａ）〜ｈ）は閉じた位置を示しており、図１のｉ）〜ｎ）は開いた位置を示している。締め付け装置１は、プラスチック材料スリーブ５を含んでいる。このプラスチック材料スリーブは、外管２の上端に固定される。この目的のために、下部５ａは、対応する階段状の開口部を備え、そこで、この外管２が一般的に圧力ばめと材料接着の組み合わせによって固定される。同様に、追加又は代替のフォームフィッティング（form  fitting）を用いることも可能である。例えば、管の開口部をスリーブの開口部の内側における対応する突出部と組み合わせて、行うことができる。内管３は、上部５ｂを介して上側からこの締め付け装置に係合し、通常はまた外管２に何らかの方法で突出する。外管の内部直径は、通常は本質的に内管の外部直径と同じか又は単に僅かに大きく、それ故に２つの管は一方が他方の内部に導かれる方式でスライドできるようになっている。
【００４２】
プラスチック材料スリーブ５は、上部５ｂにおいて軸方向の溝６を備える一方で、下部５ａにおいて環状構造なっている。この溝は、上部においてスリーブから半径方向に突出する、２つの突出部１３と１４の間に位置する。これらの２つの突出部１３と１４の間には、間隙１５があり、それは閉じた位置（特に図ｄとｇ）参照）において、かなりの程度閉じられ、反対に開いた位置（特にｋとｎ）参照）において、それは開いている。
【００４３】
２つの突出部１３と１４は、各々貫通通路開口部２３を備えている。これらの開口部は、ポールの軸２４に対して垂直に配置されており、互いに同軸上に延びている。横断ピン１１は、この貫通通路開口部２３を貫通している。横断ピン１１は、その一端において、係止部を備えている。それはこの実施形態の場合において、刻み付きネジ１２として構成され、半径方向の円周表面上で歯状又はあばら骨状の表面を有している。この刻み付きネジ１２は、第二の突出部１４の外側上に、その底面を備えている。係止部は、この実施形態では、言い換えれば、横断ピンと共に１個の部品により形成される。すなわち、それは刻み付きネジを形成する。その結果、調節機能は、回転ピンの内部ネジ山における、この刻み付きネジの係合により、もたらされる。代替手段として、刻み付きナットを提供すること、及び適切な端部に外部ネジ山を備えた横断ピンを提供することができる。このケースでは、横断ピンは、（例えば、Ｔ字形の部品の形態で）回転ピンに対して堅く締めることができる。その結果、調節機能が、横断ピンのネジ山における刻み付きナットの回転によって、得られる。しかしながら、刻み付きナットはまた、この実施形態においてさえ、横断ピンに固定することができ、上記の場合のように、回転ピンの内部ネジ山における横断ピンの回転により、調節が行われる。
【００４４】
他の端部において、横断ピン１１は、２つの側面の拡張部（Ｔ字形を形成する）を備えている。これらは、同軸に延び、ポールの軸２４に対して並行に配置されている。これらの拡張部は、締め付けレバー４のための回転ピン７を形成する。締め付けレバー４は、レバーアーム９を備えている。これは、湾曲したデザインのため、閉じた状態で、プラスチック材料スリーブの上部領域５ｂの周囲に、位置決めをして係合する。
【００４５】
そのもう一方の端部において、レバー４は回転ピン７が配置された開口部を有している。
【００４６】
レバーがこのピン７の周囲をぐるりと旋回し得るように、締め付けレバーはこちら側に溝１０を有している。溝１０は円周部分の上に延び、締め付けレバーが旋回運動をしている間、その中を横断ピンが走ることができる。これにより、偏心して構成された回転領域８が、横断ピンの両側上に形成される。
【００４７】
以上のように、特に図ｅ），ｆ），ｇ），ｍ），ｎ）において、この回転領域８の偏心は、刻み付きネジ１２の下側と、第一の突出部の外側に配置される反対表面１９の間の距離を意味し、この回転領域による締め付けの結果として最小値を取る。回転領域の半径は、レバーが閉じた位置で最大値又はおおよそ最大値を取る（図ｇを参照）。
【００４８】
反対にレバーが開くと（図ｎを参照）、この回転領域８における横断ピンの方向において、半径は著しく小さくなる。それ故に、プラスチック材料スリーブは、材料の弾力性の結果として広がり得る。また、間隙１５が広がり得る。その理由は、回転領域８が反対表面１９方向を向く結果、調整ネジの下側が、回転領域８におけるその部分からより大きく離れるためである。
【００４９】
この場合において刻み付きネジ１２は、本質的に横断ピン１１と１個の部品からなる。また、横断ピン１１は、その端部において、ピン７の内部ネジ山に係合するネジ山を有している。刻み付きネジ１２が回転されることにより、刻み付きネジと回転ピン７間の距離を様々な形態において設定でき、それにより締め付け状態のための最大の力もまたそれに応じて設定することが可能となる。
【００５０】
また、締め付け装置は、特に金属スリーブ１６を備える。それは、締め付けレバーと同じ高さであり、間隙１５と反対側の領域５ｂにおけるスリーブ５の周囲に延びている。ピン７方向を向く側において、金属スリーブは横断ピンが貫通して係合する穴を備えている。金属スリーブ１６は、この領域において、窪み１８に位置し、平面である。すなわち、反対表面１９は平面である。これに続いて環状領域がある。環状領域は、レバーが閉じるとこのレバーの後に隠され、レバーが開いたときにのみ、現れて見えるようになる（図ｌ参照）。
【００５１】
その反対の端部において、金属スリーブ１６は、同様に穴を備えており、これを通じて横断ピン又は調整ネジが係合する。ここで、金属スリーブ１６は、第二の突出部１４の外側上で、窪み１７に位置する。窪み１７の場合もまた前述した窪み１８と同様に、本質的に金属スリーブの厚みに対応する深さを有している。刻み付きネジ１２のすぐ前を、金属スリーブは溝２０を通じて延びている。
【００５２】
この金属スリーブ１６が横断ピン１１の貫通通路のための２つの上述した開口部を取り囲む方式で配置されていることによって、反対表面１９と、反対側に配置する刻み付きネジ１２は、いわば、スリーブの円周において互いに結合している。これは、結果的に著しく高い締め付け力をもたらすことを可能にしている。何故なら、締め付け力は、使用されるプラスチック材料の張力の弾力性によって決定されるのではなく、それよりもむしろ周囲に加えられ得る力によって決定されるものであり、金属スリーブの張力の弾力性によって決定されるためである。ここで、金属スリーブ１６は、環状窪み２２に配置され、レバーが閉じるときにレバーの後に隠される。このため、ほとんど見えないが、その機能は最適に実行することができ、適合しやすい。
【００５３】
締め付け装置の第二実施形態は、図２に示される。ここで、残りの図について、同等の構成や要素は、既に図１で使用されたものと同じ符号を用いて示される。
【００５４】
この第二実施形態と図１において示されたものとの重要な相違は、この場合では、スリーブの上部５ｂが、２つの突出部１３及び１４の間に配置された単に１個の溝６，１５を備えるよりもむしろ、特に図２ｃ）に見られるように、２つのさらなる溝を備える。これらの２つの追加の溝６は、溝１５と共に、周囲に均一に分布する（各１２０°間隔）。それらは、スリーブの上部５ｂにおいて、著しくより大きく拡張する領域を許容する。
【００５５】
さらなる実施形態が図３の断面図の閉じた状態（ａ）と開いた状態（ｂ）に示されている。この実施形態は、本質的に以下の点でのみ図１に示される実施形態と相違する。この場合、反対表面１９は、平面であるよりもむしろ曲面であり、換言すると、それはレバー４の回転領域８方向を向く凹面を備えている。金属スリーブ１６におけるこの湾曲した反対表面１９は、その一部について、対応する突出部における湾曲した窪み１８に位置している。これは、回転領域８とこの反対表面１９の間に、より大きな軸受表面を生じさせる。これは、ある応用については、有利となり得る。
【００５６】
第四実施形態は、図４に示されるように、重要な点については、図２に示される実施形態に関連している。しかし、このケースでも、既に第三実施形態で図３により説明した通り、反対表面１９が湾曲した構造である点において、図２に示される実施形態と相違している。
【００５７】
第五実施形態は、図５において、閉じた位置５ａ）〜５ｈ）と開いた位置５ｉ）〜５ｏ）に示されている。ここでも、他の図の詳解と共に示されているように、同じ符号が同一又は同等の構成のために用いられている。
【００５８】
このケースでは、締め付けレバーにおけるアーム９が、軸方向において顕著により狭い構成となっており、閉じた状態では、特に環状窪み２５における上部５ｂの外周付近に配置されている。レバーアーム９は、その端部にノブのような拡張部を備えており、その一部がこの窪みにおける拡張部に配置される。このため、このノブは指で握りやすい。また、変形例として、レバー上に他の構成を備えることもでき、金属レバーの場合には、これらの構成をプラスチック材料から作成することもできる。
【００５９】
また、この場合において、横断ピン１１は、特に図５g）、５ｎ）及び５ｏ）において見られる通り、レバー方向を向くその端部において、フォーク状の形態で構成されている。２つのフォークアーム３０が、レバー、特にレバーの回転領域８が配置される溝を規定する。レバーは、２つのフォークアーム３０の間に配置された回転ピン７によりこの溝に嵌め込まれ、言うなればそれに結合する。また、この場合において特別な「ワッシャー」として構成された金属要素２７の横木２８がこの溝に配置される。これは、図５ｐ）に特に平面図として示されている金属要素２７が、２つの半月状の貫通通路開口部２９を備えており、これらは互いに反対に配置され、その各々をフォークアーム（これらのフォークアームは同様に対応する断面形状を有している）が通過するためである。言い換えれば、この金属要素２７は、一方では回転領域８に隣接し、他方ではフォークの基部に隣接して、これら２つのフォークアーム間に導かれ、同時にこれを取り囲み、横断ピン１１の軸に沿って移動方向に移動させることができる。貫通通路開口部２９において、２つのフォークアームが引っかかる結果となる方式で金属要素２７が窪み１８において回転できないように、金属要素２７は、半径方向の周囲部分を超える延長部３２を有している。この延長部３２は、窪み１８における対応する半径方向の拡張部３３に位置する。金属要素２７が回転力にさらされると、延長部３２が拡張部３３に係合することにより回転力が吸収され、貫通通路開口部２９においてフォークアームが引っかからないようにすることができる。
【００６０】
金属要素２７は、第一の突出部１３の窪みに位置し、第一の突出部の肩の上にその環状領域を有している。この肩は、締め付け操作のための、環状の力吸収表面としての役割を果たす。
【００６１】
この構成の場合において、回転領域８は、横木２８の上を対応して進む。この横木２８から力が金属要素２７の環状領域に伝達され、この環状領域から上述した窪み１７の肩を介して、第一の突出部１３へ伝えられる。したがって、金属領域において大変局所的に非常に大きい力を生み出すことが可能である。それにもかかわらず、その力は、広い表面領域上から第一の突出部１３、すなわちプラスチック材料領域に導入され、そのプラスチック材料がさらされる局所的な圧縮荷重はそれ故に低いレベルに維持できる。ここでまたもう一度、回転領域は、偏心構造である。またここで、調整ネジ１２が備えられ、これは内部ネジ山を備えて構成される。この内部ネジ山には、横断ピンの端部、すなわち外部ネジ山として構成され、フォークから離れた端部がねじ込まれる。したがって、もう一度、最大の締め付け力を設定することが可能になる。
【００６２】
もちろん、各実施形態を互いに組み合わせることが可能である。したがって、具体的には、図５による構成を、例えば図１におけるような金属スリーブに結合させることが可能である。換言すると、金属要素２７を環状金属バンドの形態に構成することが可能である。同様に、より広い調整範囲を実現するために、図５に関連して示されている実施形態に、さらなる軸方向の溝６を設けることも可能である。
【００６３】
図６は、本発明のさらなる実施形態を示している。この実施形態の場合、プラスチック材料スリーブ５の領域、すなわち具体的にはこのスリーブの下部５ａは、その中に、この領域においてポールを操作しやすくする凹凸面を備えるグリップ用窪み３４を有している。さらに、この実施形態の場合、軸方向の溝６は、わずかにＶ字型の構成をしており、例えば図６ｅ又は６ｇにおいて明らかな通り、閉じた状態においてさえ、ポールの軸に並行に見られる。
【００６４】
さらに、溝６は、溝がある上部５ｂと溝がない下部５ａの間の遷移領域において広がり、横向きに走る横断溝３５に入り込んでいる。この横断溝３５は、溝領域５ｂにおける円周運動の能力をより大きくするのみならず、また滑らかにする。言い換えれば、折り畳まれるレバー４の効力によって２つの突出部１３と１４を共に誘導し、これにより内管３の周りに円周締め付けを生み出すために、低レベルの力が必要である。
【００６５】
この実施形態の場合、締め付けレバー４は狭く、その先端に向かってわずかに先細りになっている。また、加えて、グリップ隆起部３７は、このレバーのわずかに外向きに湾曲した先端の内側に配置されている。閉じた位置において、図６ａ〜ｈに見られるように、レバー４のアーム９は、溝６に関して反対側にある、領域５ｂに備えられた環状窪み２５に位置している。この結果、先端部の外部湾曲の効果により、滑らかな全体の外形は、グリップ隆起部とまとまっているが、レバーは握りやすく、閉じた位置を解放するために、人がグローブを装着していてさえも１本の指を用いて旋回させて開けることができる。
【００６６】
横断ピン１１は、詳細に後述するように、ここではレバーの方向を向くその端部に配置された外部ネジ山を有するピンとして構成される。調整ネジ１２又は特別に構成されたきざみ付きナットは、この外部ネジ山にねじ込まれる。このきざみ付きナット１２については、また詳細に後述する。
【００６７】
例えば図６ｉを参照すると見られるように、レバー４は、スリーブ方向を向くその底面に窪みを備えている。この窪みは、閉じ位置をより正確に規定するため、その中に係合手段、すなわち窪み２５内に環状に配置されているエレベーション５０を受け入れる。
【００６８】
図６ｑ〜ｕは、特に横断ピン１１、レバー４、及び調整ネジ１２間の相互作用についてより詳細に説明するために用いられる。横断ピン１１は、その端部に扁平部３９を備えており、この場合において、扁平部３９は丸みを帯びた長方形の断面を備えている。この扁平部３９は、その中に、横に延びる、軸方向のピン７のための貫通通路開口部４０を備え、その周囲にレバー４が旋回可能な形式で取り付けられている。この貫通通路開口部４０は、横断ピン１１の主方向に対して本質的に垂直な方向を向いている。
【００６９】
ネジ部３８は、この扁平部３９に１個の部品で形成され、本質的にネジ部分を構成している。
【００７０】
図６ｖに詳細に示されている金属要素２７は、その外周上のほとんどが、片側の延長部３２のようにやや広がった丸い外部形状を備えている。図６ｇに示されているように、この延長部３２は、突出部１３の窪み１８に設けられた対応する拡張部３３に係合する。したがって、それは言わば横断ピン１１の軸について、窪み１８における金属要素２７の回転を防止する。したがって、それはまた横断ピン１１とレバーアーム４が横断ピン１１の軸について回転可能になることを防止する。
【００７１】
次に、扁平部３９は、金属要素２７における細長い貫通通路開口部４２と本質的に同じで、幾分かややより小さい断面表面領域を備えている。この貫通通路開口部４２は、ここで丸みを帯びた長方形のデザインとなっているが、例えばただ単に容易に扁平部３９の断面表面領域に対応するその他の形状、例えば正方形にすることができる。また、扁平部３９の断面表面領域に適合するその他の形状を備えることもできる。それは、金属要素２７におけるピン１１の回転を防止するため、したがってまた、横断ピン１１の軸についてのスリーブに関して、横断ピン１１とレバー４の回転を防止可能にするため、単に円形とすべきでない。
【００７２】
したがって、扁平部３９は、横断ピン１１の軸方向に、閉じた位置（図６ｓ参照）と開いた位置（図６ｒ参照）の両方におけるような長さを備えている。それは、常に適合する貫通通路開口部４２に係合している。これは、それぞれのレバーの位置における貫通通路開口部４２と扁平部３９の相対的な誘導を確実にする。
【００７３】
このような横断ピン１１の特別な実施形態は、図６ｕに示されている。特に３つの管部分を備え、それに応じて２つのこのような締め付け機構を必要とするポールの場合、対応する留め具の構造を可能な限り軽くすることが重要である。重さの削減を許容するために、扁平部３９が貫通通路開口部４２において誘導の役目を果たせる範囲で、横断ピン１１にさらなる溝、追加の溝４１を設けることができる。図６ｕに示されているように、この追加の溝は、言うなれば貫通通路開口部４０に並行に走らせて良く、またそれに垂直に走らせてもよい。あるいはまた、ピンの中央で交わる２つのこのような溝を設けることもできる。
【００７４】
重さのさらなる削減は、もしネジ部３８が空洞を含み、又はもし横断ピンを例えば２つ部品で構成するならば、可能となる。その２つ部品においては、ネジ部３８を金属からなるものとし、かつ扁平部３９をプラスチック材料からなるものとするか、あるいはまたネジ部３８はその外側のみを金属性のネジ山スリーブからなるものとし、その内部をプラスチック材料で構成するならば、可能となる。
【００７５】
図７〜９は、それぞれ左上の側面図、中央上部の正面図、右上の中央の図のＸ−Ｘラインに沿った断面図において、刻み付きナット１２の特定の実施形態を示している。中央には挿入要素の様々な図が示され、下には２つの斜視図が示されている。
【００７６】
図７〜９に対応する３つの場合のそれぞれにおいて、刻み付きナットは、テーパー部４４と幅広い部分４３を備えている。幅広い部分４３は、特に例えば図６ｇによれば、突出部１４上にてこの力が作用できるように、窪み２６によって形成される肩の上に置かれるように構成される。テーパー部４４は、同じく図６ｇを参照すると見られるように、貫通通路開口部２３に係合する。
【００７７】
次に、図７による実施形態において、全ての刻み付きナット１２は、鋼鉄から製造され、特にテーパー部４４内に内部ネジ山４６を備える。この内部ネジ山は、横断ピン１１のネジ山を付けられた部分３８上の外部ネジ山と相互に作用する。さらに、幅広い調整部４３は、一本の指で容易に調節が行えるように、外側に歯の付いた構成を備える。また、溝３６には例えば工具や硬貨が係合できる。
【００７８】
さらに、正面において、ネジを締め付け、又は取り外すために回転が行われるべき向きが示されている。
【００７９】
このようなネジは、徐々に緩まないこと、又は使用中に望ましくないほどきつくならないことが重要である。これに対応して、図７による実施形態の場合に見られるように、特に右上の図を参照すると、ナットの貫通通路開口部は、幅広い調整部の領域において、環状凹部を備えており、この環状凹部にゴム製のＯ−リング４５が導入される。このＯ−リングは、貫通通路開口部に何らかの形で突出し、これに対応して、横断ピン１１のネジ部３８の外部ネジ山に接触する厚みを備えている。Ｏ−リング４５とネジ部３８の外部ネジ山の間の摩擦は、ここでナットが特定の操作によってのみ横断ピン１１に対して回転できるように設定される。
【００８０】
図８にさらなる実施形態を示す。この場合において、刻み付きナット１２は、ポリアミドやポリプロピレンなどのプラスチック材料から製造される。また、ネジ山領域は、内部ネジ山を備えた、金属からなるネジ山付き挿入物４７によって形成される。このような刻み付きナットは、例えば、射出成形金型で提供され、その後プラスチック材料を封入して得られるネジ山付き挿入物によって製造される。
【００８１】
金属からなるネジ部４７を構成要素の残りのプラスチック材料にしっかりと固定させるために、それは環状リブを備え、また特に末端フランジ４８を備えている。末端フランジ４８は、最終的におおよそ幅広い調整部４３内に配置される。
【００８２】
またここで、ピンに対するナットの回転を阻止することを確保するために、プラスチック材料が貫通通路開口部の外壁を形成する領域４９において、このプラスチック材料をその全体、又は一定の位置のみで、わずかに内側に湾曲させ、図７によるＯ−リング４５によってもたらされる効果と同様の効果を発生させる、それに相当する突出部を形成することができる。
【００８３】
図９に第三の実施形態を示す。この場合においては、フランジ４８は、レバーの方向を向いている部分４４の端部に配置されるが、この図には、同様にフランジ４８を備えた金属スリーブ４７が示されている。それにもかかわらずさらに機能性を保証するため、図９における右下の挿入物として見られるように、部分１４に支持肩部５０を含めることが有利であり、いくつかの状況においては必要でさえ有る。その支持肩部５０上に、フランジ４８と、それ故に刻み付きナット１２が全体として支えられることができ、言うなればプラスチック材料領域から金属要素４８が裂けることを防いでいる。
【符号の説明】
【００８４】
１  締め付け装置
２  外管
３  内管
４  締め付けレバー
５  プラスチック材料スリーブ
５ａ  ５の下部
５ｂ  ５の上部
６  ５ｂの軸方向の溝
７  ４の回転ピン，軸方向ピン
８  ４の回転領域
９  ４のレバーアーム
１０  ８の溝
１１  横断ピン
１２  調整ネジ，きざみ付きナット
１３  第一の突出部
１４  第二の突出部
１５  １３と１４の間隙
１６  金属スリーブ
１７  １６のための１４の窪み
１８  １６のための１３の窪み
１９  １６における８のための反対表面
２０  １６のための５の溝
２１  １２の歯付き表面
２２  １６のための５ｂの環状窪み
２３  １１のための１３と１４の貫通通路開口部
２４  ポールの軸
２５  ９のための５の窪み
２６  １２のための１４の窪み
２７  金属要素
２８  横木
２９  ３０のための２７の貫通通路開口部
３０  １１のフォークアーム
３１  ３０の間の溝
３２  ２７の延長部，拡張部
３３  ３２のための１８の半径方向の拡張部
３４  グリップ窪み
３５  横断溝
３６  １２の溝
３７  グリップ隆起部
３８  １１のネジ部
３９  １１の扁平部
４０  軸方向ピン７のための貫通通路開口部
４１  ３９の追加の溝
４２  ３９のための貫通通路開口部
４３  １２の幅広い調整部
４４  １２のテーパー部
４５  Ｏ−リング
４６  ４４の雌ネジ
４７  内部ネジ山を備えたネジ山付き挿入物
４８  ４７のフランジ
４９  １２の一部分
５０  １４の支持肩部
【図１ａ）】
0005622750.tif 000002
【図１ｂ）】
0005622750.tif 000003
【図１ｃ）】
0005622750.tif 000004
【図１ｄ）】
0005622750.tif 000005
【図１ｅ）】
0005622750.tif 000006
【図１ｆ）】
0005622750.tif 000007
【図１ｇ）】
0005622750.tif 000008
【図１ｈ）】
0005622750.tif 000009
【図１ｉ）】
0005622750.tif 000010
【図１ｋ）】
0005622750.tif 000011
【図１ｌ）】
0005622750.tif 000012
【図１ｍ）】
0005622750.tif 000013
【図１ｎ）】
0005622750.tif 000014
【図２ａ）】
0005622750.tif 000015
【図２ｂ）】
0005622750.tif 000016
【図２ｃ）】
0005622750.tif 000017
【図２ｄ）】
0005622750.tif 000018
【図２ｅ）】
0005622750.tif 000019
【図２ｆ）】
0005622750.tif 000020
【図２ｇ）】
0005622750.tif 000021
【図３ａ）】
0005622750.tif 000022
【図３ｂ）】
0005622750.tif 000023
【図４ａ）】
0005622750.tif 000024
【図４ｂ）】
0005622750.tif 000025
【図５ａ）】
0005622750.tif 000026
【図５ｂ）】
0005622750.tif 000027
【図５ｃ）】
0005622750.tif 000028
【図５ｄ）】
0005622750.tif 000029
【図５ｅ）】
0005622750.tif 000030
【図５ｆ）】
0005622750.tif 000031
【図５ｇ）】
0005622750.tif 000032
【図５ｈ）】
0005622750.tif 000033
【図５ｉ）】
0005622750.tif 000034
【図５ｋ）】
0005622750.tif 000035
【図５ｌ）】
0005622750.tif 000036
【図５ｍ）】
0005622750.tif 000037
【図５ｎ）】
0005622750.tif 000038
【図５ｏ）】
0005622750.tif 000039
【図５ｐ）】
0005622750.tif 000040
【図６ａ）】
0005622750.tif 000041
【図６ｂ）】
0005622750.tif 000042
【図６ｃ）】
0005622750.tif 000043
【図６ｄ）】
0005622750.tif 000044
【図６ｅ）】
0005622750.tif 000045
【図６ｆ）】
0005622750.tif 000046
【図６ｇ）】
0005622750.tif 000047
【図６ｈ）】
0005622750.tif 000048
【図６ｉ）】
0005622750.tif 000049
【図６ｋ）】
0005622750.tif 000050
【図６ｌ）】
0005622750.tif 000051
【図６ｍ）】
0005622750.tif 000052
【図６ｎ）】
0005622750.tif 000053
【図６ｏ）】
0005622750.tif 000054
【図６ｐ）】
0005622750.tif 000055
【図６ｑ）】
0005622750.tif 000056
【図６ｒ）】
0005622750.tif 000057
【図６ｓ）】
0005622750.tif 000058
【図６ｔ）】
0005622750.tif 000059
【図６ｕ）】
0005622750.tif 000060
【図６ｖ）】
0005622750.tif 000061
【図７】
0005622750.tif 000062
【図８】
0005622750.tif 000063
【図９】
0005622750.tif 000064